(57)【要約】【課題】あらかじめ用意された複数の撮像条件の中から、試したい撮像条件を簡単に選択できるようにする。【解決手段】被写体を撮像する撮像条件を被写体の状況に応じて設定する撮像条件設定手段と、前記撮像条件設定手段によって設定された撮像条件下においてプレ撮像を実行する第１の撮像制御手段と、前記第１の撮像制御手段によるプレ撮像により得られた複数の画像を表示する画像表示手段と、前記画像表示手段に表示された複数の画像の中から、好みの画像をユーザが選択するための画像選択手段と、前記画像選択手段を介して選択された画像を撮像する時に用いられた撮像条件を被写体の状況下に応じて前記撮像条件設定手段に設定し、前記設定した撮像条件下で撮像を行うように制御する第２の撮像制御手段とを設け、あらかじめ用意された複数の撮像条件の中から、試したい撮像条件を簡単に選択できるようにする。【選択図】        図１
2004207886.tif 000002
【特許請求の範囲】
【請求項１】
被写体を撮像する撮像条件を被写体の状況に応じて設定する撮像条件設定手段と、
前記撮像条件設定手段によって設定された互いに異なる複数の撮像条件下においてプレ撮像を実行する撮像制御手段と、
前記第１の撮像制御手段によるプレ撮像により得られた複数の画像を表示する画像表示手段と、
前記画像表示手段に表示された複数の画像の中から、好みの画像をユーザが選択するための画像選択手段とを有し、
前記制御手段は、前記画像選択手段を介して選択された画像を撮像する時に用いられた撮像条件を被写体の状況下に応じて前記撮像条件設定手段に設定し、前記設定した撮像条件下で撮像を行うように制御することを特徴とする撮像装置。
【発明の詳細な説明】
【０００１】
【発明の属する技術分野】
本発明は撮像装置に関し、特に、ＥＶＦ（エレクトリックビューファインダー）を有するデジタルカメラに用いて好適なものである。
【０００２】
【従来の技術】
従来からあるデジタルカメラには、ユーザが適切な撮像条件を設定して撮像できるように様々な工夫がされてきた。そのうちの１つは、特許文献１において、本撮像を行う前に、画像をCCD等の撮像素子から取り込んでＥＶＦに表示し、それを基にして撮像条件の変更結果をシミュレートした画像どうしで視覚的な比較を行い、適切な撮像条件を絞り込むことで、撮像条件を変更している。
【０００３】
また、他の１つは、デジタルカメラの撮像の仕組みに疎いユーザでも、撮像条件の各要素（測光方式、ＡＦ方式、ＡＥ方式、ホワイトバランス、ストロボ発光の有無、画像処理（白黒、セピア、エッジ強調、ノイズリダクション）など）の組み合わせを、スポーツモード、夜景モード、など素人でも分かりやすい名前付けの撮像プログラムをユーザが選択することにより、TPOに応じて撮像条件を一括して変更できるように構成されていた。
【０００４】
また、他の例としては、特許文献２において開示されているように、絞りやシャッタスピードやホワイトバランスの設定の組み合わせを変えて複数撮像をした結果を表示し、前記表示の中からユーザが好みの画像を選択すると、前記撮像時に使用した絞り値やシャッタスピードを設定することができるように成されている技術があった。
【０００５】
【特許文献１】
特開平０５−１１０９１２号
【特許文献２】
特許３１４４４８９号
【０００６】
【発明が解決しようとする課題】
前記特許文献１に開示されている従来技術においては、実際に撮像した１つの画像からシミュレートすることによって比較する画像を作りこんでいるので、実際に撮像した画像と違いが出てくる可能性がある。
【０００７】
しかも、構図、絞り、シャッタスピード等、様々な撮像条件の要素を個別に絞り込んでいく方法なので、実際の撮像までに、時間がかかる欠点があった。さらに、素人では個々の撮像条件の要素どうしが画像に与える影響を知らないことが多いので、結局撮像条件を絞り込むことができにくいという欠点があった。
【０００８】
一方、あらかじめ用意したモードを用いる方法においては、そのモードが与える実際の影響が、わかりにくいため、結局実際に撮像をし、その画像どうしを比較することになり、時間と手間がかかるという欠点があった。
【０００９】
また、前記特許文献２に記載されている技術においては、ユーザが選択した試し撮り画像から撮像条件として絞り値やシャッタスピードを設定するので、次回に本撮像を行う時に、被写体の輝度が変化した場合にユーザが希望する撮像結果が得られないという欠点があった。
【００１０】
本発明は前述の問題点にかんがみてなされたもので、あらかじめ用意された複数の撮像条件の中から、試したい撮像条件を簡単に選択できるようにすることを目的とする。
【００１１】
【課題を解決するための手段】
本発明の撮像装置は、被写体を撮像する撮像条件を被写体の状況に応じて設定する撮像条件設定手段と、前記撮像条件設定手段によって設定された互いに異なる複数の撮像条件下においてプレ撮像を実行する撮像制御手段と、前記第１の撮像制御手段によるプレ撮像により得られた複数の画像を表示する画像表示手段と、前記画像表示手段に表示された複数の画像の中から、好みの画像をユーザが選択するための画像選択手段とを有し、前記制御手段は、前記画像選択手段を介して選択された画像を撮像する時に用いられた撮像条件を被写体の状況下に応じて前記撮像条件設定手段に設定し、前記設定した撮像条件下で撮像を行うように制御することを特徴としている。
【００１２】
本発明は前記技術手段よりなるので、ユーザは撮像条件を被写体の状況に応じて撮像条件の要素を個別に絞り込んでいく複数のプログラム（撮像プログラム）の効果を知らなくても、現実の構図で撮像した結果を比較し評価することで、最適な撮像プログラムで撮像を行うことが簡単に可能となる。
【００１３】
【発明の実施の形態】
次に、添付図面を参照しながら本発明の撮像装置の実施の形態について説明する。
図１において、１００は被写体像の形成やその像を撮像する機能を有したカメラボディである。１１１は電源で、カメラボディ内の各回路に電源を供給する。
【００１４】
１０１〜１０３は、被写体像を形成する撮像光学系で、１０１は光軸方向の進退により焦点調節を行うフォーカシングレンズ、１０２は同じく光軸方向の進退により変倍を行うズーミングレンズである。また、１０３は撮像素子への光量を調節する絞りである。
【００１５】
次いで、１０４〜１０８は、撮像光学系で形成された被写体像をデジタル化する光電変換系である。１０４は撮像素子であり、ＣＣＤ、ＣＭＯＳ等で構成され、光源変換部として機能し、撮像光学系１０１〜１０３で形成された被写体像を光電変換して画像信号を生成する。
【００１６】
１０５は前処理回路で、ＣＤＳ（相関二重サンプリング）、ＡＧＣ（オートゲインコントロール）回路等を含み、撮像素子が正確な画像信号を出力するための制御を行う。１０６はA/Dコンバータであり、前処理回路１０５から出力されたアナログ画像信号をデジタルデータに変換する。
【００１７】
１０７は像信号処理部を構成する像信号処理ICであり、デジタル化された画像信号に対してγ補正、ＡＷＢ（オートホワイトバランス）等を施し、撮像素子１０４の特性に起因する画像濃度の非線形性や、光源に起因する画像色の偏りの補正を行う。
【００１８】
１０８はフレームメモリであり、前記撮像素子１０４〜像信号処理部１０７によって補正された、撮像素子の生データを一時的に保持するバッファメモリである。
【００１９】
１０９はＣＰＵであり、不揮発性メモリ１１０、電源１１１、圧縮部１１２、ＲＡＭメモリ１１３、記録媒体１１４、画像選択部１１５、ＥＶＦ制御部１１６、撮像条件選択部１２１、ビュー画像切り替え手段１２２、表示固定手段１２３等が接続され、それぞれを制御する。
【００２０】
ＣＰＵ１０９は、撮像素子１０４の画像信号読み出しを制御するクロック信号を送出したり、撮像素子１０４〜フレームメモリ１０８の各素子の動作タイミングを制御したりする。不揮発性メモリ１１０は、EEPROM等で構成され、電源１１１がOFFされても記録されたデータを失わない。
【００２１】
圧縮部１１２は、圧縮回路で、取得した画像信号を圧縮して画像ファイルサイズを縮小する。ＲＡＭメモリ１１３は、ＣＰＵ１０９が各種処理を行う際に、データを一時的に記録させている。記録媒体１１４は、圧縮した画像信号を記録・保存するための記録媒体で、フラッシュメモリ等の半導体メモリ、磁気ディスク、光ディスク等が用いられる。
【００２２】
画像選択部１１５、撮像条件選択部１２１、ビュー画像切り替え部１２２、表示固定部は、単独のボタンキー、タッチパネルまたは十字ボタンキーが用いられる。ＥＶＦ制御部１１６は、液晶素子等で構成されているＥＶＦ１１７を駆動および制御する。
【００２３】
１１８は、メインスイッチで、このスイッチ１１８がオンされるとＣＰＵ１０９は、撮像に関する所定のプログラムの実行を許可する。１１９(第１のスイッチ)、１２０(第２のスイッチ)はカメラのレリーズボタンの第１ストローク、第２ストロークの押下でオンとなる。
【００２４】
図２に、電源がオンされてから本撮像終了までの処理手順のメインルーチンのフローチャートを示す。メインスイッチ１１８がオンされると処理が開始され(ステップ#１００)、ステップ#１０１では、後述のプレ撮像時に撮像プログラム選択ルーチンを実行し、ステップ#１０２では後述のプレ撮像ルーチンを実行し、ステップ#１０３では後述の本撮像時撮像プログラム選択ルーチンを実行し、#１０４では後述の連続本撮像ルーチンを実行する。その後、ステップ#１０１に戻って前述した処理を繰り返し行う。
【００２５】
図３は、図２のステップ#１０１のプレ撮像時撮像プログラム選択ルーチンの処理手順を説明するフローチャートである。本ルーチンは、不揮発性メモリ１１０に記録されている複数の撮像プログラムを読み出して表示し、ユーザが試し取りをして比較したい撮像プログラムを選択するためのルーチンである。
【００２６】
最初のステップ#１５０で処理が開始されると、次に、ステップ#１５１で、不揮発性メモリ１１０に記録されている撮像プログラムをＲＡＭメモリ１１３に書き出す。次に、ステップ#１５２で、ＲＡＭメモリ１１３に書き出した撮像プログラムに基づいてＥＶＦ制御部１１６を制御して、ＥＶＦ１１７にデータを表示する。次に、ステップ#１５３で、撮像条件選択部１２１からの信号に基づきプレ撮像時に撮像する撮像条件データを構築し、ＲＡＭメモリ１１３に書き出す。
その後、ステップ#１５４でメインルーチンにリターンする。
【００２７】
図４は、プレ撮像時撮像プログラム選択ルーチンにおけるＥＶＦ１１７に表示される画面のイメージ例を説明する図である。
【００２８】
図５は、図２のステップ#１０２のプレ撮像ルーチンのフローチャートである。本ルーチンは、図２のステップ#１０１で決定された撮像プログラムに基づいて、撮像をし、撮像情報と撮像画像とをリンクさせ、ＥＶＦ１１７に表示するための処理手順を説明するルーチンである。
【００２９】
ステップ#２００で処理が開始されると、次に、ステップ#２０１では、図２のステップ#１０１で決定された撮像プログラムの中で、まだ撮像していない撮像プログラムがなければ、ステップ#２０６でメインルーチンへ戻る。まだ撮像していない撮像プログラムがあれば、ステップ#２０２で、まだ撮像していない撮像プログラムを、撮像光学系と光電変換素子に設定する。
【００３０】
例えば、測光方式（中央重点平均測光、スポット測光、分割測光等）を設定する。次に、ステップ#２０３では、後述の撮像ルーチンを行う。例えば、ステップ#２０２で設定された測光方式を用いて測光値を出し、その値に基づき撮像ルーチンが行われる。次に、ステップ＃２０４において、撮像した画像とその撮像条件をリンクさせてＲＡＭメモリ１１３へ書き出す。
【００３１】
次に、ステップ#２０５で、撮像した画像をＥＶＦ１１７へ表示するようＥＶＦ制御部１１６が制御する。その後、ステップ#２０１に戻って前述した処理を繰り返す。ＥＶＦの表示イメージを図６に示す。ここでは、４画面表示で表示しているが、ＥＶＦの性能次第では、N個の画面表示も可能である。
【００３２】
図７は、図２のステップ#１０３の本撮像時撮像プログラム選択ルーチンの処理手順を説明するフローチャートである。本ルーチンは、図２のステップ#１０２で表示されたプレ撮像画像から、本撮像を行う際の撮像条件を選択するためのルーチンである。ステップ#２５１では、画像選択部１１５より入力されたキーがフォーカス画像の遷移であれば、ステップ#２５２でフォーカス画像を変更し、ステップ#２５３以降を実行する。
【００３３】
ステップ#２５１の判断の結果、フォーカス画像の変更でなければ、ステップ#２５３以降を実行する。フォーカス画像変更のＥＶＦの表示イメージを図８へ示す。図８において、右側にある図が、ＲＡＭメモリ１１３上に、パックされた画像とその撮像条件が書き込まれたイメージ図である。右側上段の図が、画面を４分割した場合の、画像の表示ポジションを示している。太線になっているポジションがフォーカスされていことを示している。
【００３４】
ここでは、ポジション１がフォーカスされている。その下の図は、画像が遷移可能なポジションを示している。ポジション１の画像は、ポジション２へ遷移可能、ポジション２の画像は、ポジション１またはポジション３へ遷移可能、ポジション３の画像は、ポジション２またはポジション４へ遷移可能、ポジション４の画像は、ポジション３へ遷移可能であることを示している。
【００３５】
右側下段の図は、画像２〜画像５が、ポジション１〜ポジション４に配置されており、画像2がフォーカスされていることを示している。さらに、フォーカス遷移の内容が後戻りのときの画面変化を示している。フォーカスのポジションは、変化なしで、画像のポジションが右へ送られており、ポジションから外れた画像５は表示されず、空いたポジション１には、画像１が表示される。
【００３６】
図９は、画像２〜画像５が、ポジション１〜ポジション４に配置されており、画像５がフォーカスされ、フォーカス遷移の解釈内容が先送りのときの画面変化を示している。フォーカスのポジションは、変化なしで、画像のポジションが左へ送られており、ポジションから外れた画像２は表示されず、空いたポジション４には画像６が表示される。
【００３７】
図１０は、画像２〜画像５が、ポジション１〜ポジション４に配置されており、画像３がフォーカスされ、フォーカス遷移の解釈内容が先送りの時の画面変化を示している。画像のポジションは変化はなしで、フォーカスしている画像が画像３から画像４へ遷移している。
【００３８】
図１１は、画像２〜画像５が、ポジション１〜ポジション４に配置されており、画像４がフォーカスされ、フォーカス遷移の解釈内容が後戻りのときの画面変化を示している。画像のポジション変化はなしで、フォーカスしている画像が画像４から画像３へ遷移している。
【００３９】
図７の説明に戻り、ステップ#２５３では、画像選択部１１５により選択された画像が有無を判断し、画像があればステップ#２５４でＲＡＭメモリへ記録、その旨を表示し、ステップ#２５５以降を実行する。画像選択部１１５により選択された画像がなければ、ステップ#２５５以降を直接実行する。
【００４０】
図１２は、右上と左下の画像が本画像時の選択撮像プログラムであることを示している。それぞれの画像の左上にカメラをデフォルメしたアイコンを表示することで、選択されていること示している。ステップ#２５５では、画面選択部より入力されたキーが画面遷移ロックであれば、ステップ#２５６で現在フォーカスしている画像の画面遷移をロックし、ステップ#２５７以降を実行する。画面選択部より入力されたキーが画面遷移ロックでなければ、ステップ#２５７以降を実行する。
【００４１】
図１３は、右上の画像を画面遷移ロックした図を示している。画像の左上に錠前をデフォルメしたアイコンを表示することで画面遷移ロックしていることを示している。画面遷移をロックするとそのポジションの画像は、遷移しなくなる。
【００４２】
図１４の右側上段の図は、ポジション２の画像を画面遷移ロックしたときの画面遷移の起こるポジションとその順番を示している。ポジション１の画像は、ポジション３へ遷移可能、ポジション３の画像は、ポジション１またはポジション４へ遷移可能、ポジション４の画像は、ポジション３へ遷移可能であることを示している。
【００４３】
図１４の左側の図はＲＡＭメモリ１１３上の画像のリンクを示した図である。
画面遷移ロックされた画像３は、画像２と画像４とのリンクがなくなり、画像２と画像４がリンクする。つまりは、画面遷移ロックしていない隣り合わせの画像がリンクする。
【００４４】
図１４の右側下段の図は、画像２〜画像５が、ポジション１〜ポジション４に配置されており、ポジション２の画像３が画面遷移ロックされ、ポジション１の画像２にフォーカスがあり、フォーカス遷移の解釈内容が後戻しである場合を示している。画面遷移ロックされた画像３は変化なしで、かつ、フォーカスのポジションは、変化なしである。
【００４５】
画像のポジションが右へ送られており、ポジションから外れた画像５は表示されず、空いたポジション１には、画像１が表示される。その他の動作に対しても、同様に画面遷移ロックされたポジションと画像を無視した遷移を行う。ステップ#２５７で、フォーカス遷移の解釈内容が、本撮像時撮像プログラム選択終了であれば、ステップ#２５８に進んで選択された画像の撮像条件をＲＡＭ１１３へ書き出してメインルーチンへ戻る。また、ステップ#２５７の判断の結果、終了でなければステップ#２５１以降を繰り返す。
【００４６】
図１５は、図のステップ#１０４の連続本撮像ルーチンの処理手順の一例を説明するフローチャートである。本ルーチンは、図２のステップ#１０３で選択された１つまたは複数の撮像プログラムに基づいて、自動的に本撮像を行いその画像と撮像情報を記録媒体に保存するためのルーチンである。
【００４７】
ステップ#３００で処理が開始されると、次に、ステップ#３０１では、図２のステップ#１０３で決定された１つまたは複数の撮像プログラムの中で、まだ撮像していない撮像プログラムがなければ、ステップ#３０５でメインルーチンへ戻る。まだ撮像していない撮像プログラムがあれば、ステップ#３０２で、まだ撮像していない撮像プログラムの撮像条件を、撮像光学系と光電変換素子に設定する。次に、ステップ#３０３では、後述の撮像ルーチンを行い、次に、ステップ＃３０４において撮像した画像とDCF規格に従った形式にし記録媒体１１４へ保存する。その後ステップ#３０１以降を繰り返す。
【００４８】
本撮像ルーチンでは、プレ撮像ルーチンで使用した絞り値やシャッタスピードを使用はせずに、新たに選択された撮像プログラムで設定されている測光方式を用いるため、プレ撮像時と本撮像時に被写体の輝度が変化しても、本撮像時の輝度を計測する。したがって、プレ撮像時で使用した絞りとシャッタスピードで撮像した場合と結果は異なることはいうまでもない。
【００４９】
さらに、前記実施の形態では、撮像プログラムは、測光方式の違いを示したが、同様にストロボの発光の有無、スローシンクロに代表されるストロボとシャッタスピードの協調関係、撮像画像に対する画像処理（フィルタリング、エッジ強調、ノイズリダクションの有無）、赤目軽減の有無の組み合わせを撮像プログラムとすることも可能である。
【００５０】
図１６では、図５、図１５のフローチャートの処理として使用していた撮像ルーチンのフローチャートである。
ステップＳ３５０で処理が開始されると、次に、ステップ#３５１ではピント合わせのためのＡＦルーチンを実行し、次に、ステップ#３５２では露出値を決めるＡＥルーチンを実行する。
【００５１】
次に、ステップ#３５３では、図１の１０４〜１０８の各素子の動作タイミングを制御することにより、撮像素子（ＣＣＤ）１０４から取り込んだ画素データをフレームメモリ１０８に書き込む。
【００５２】
次に、ステップ#３５４では、圧縮部１１２を制御することによって、フレームメモリ１０８上の画素データを圧縮し、ＲＡＭメモリ１１３へ書き込む。その後、ステップ#３５５で呼び出しルーチンへ戻る。
【００５３】
図１６のステップ#３５１のＡＦルーチン、ステップ#３５２のＡＥルーチンについては、公知の制御方法と同様であるので詳細な説明は省略する。
【００５４】
「第２の実施の形態」
第１の実施の形態においては、本撮像を、選択した撮像プログラムに基づいて、デジタルカメラのタイミングにおいて連続で行うので、楽な反面、三脚などで固定しないと手ぶれにより、構図が適切でないかもしれない。そこで、本実施の形態においては、第１の実施の形態の撮像ルーチンを、後述の撮像ルーチンに置き換えることで、構図の確認をしながら本撮像を行うことができるようにしている。
【００５５】
図１７では、図５、図１５のフローチャートの処理として使用していた撮像ルーチンのフローチャートである。
ステップＳ４００で処理が開始されると、次に、ステップ#４０１では、スイッチ検地を行い、ステップ#４０２の判断の結果、第１のスイッチ（１１９）がオンになっていなければ、ステップ#４０１以降を繰り返す。
【００５６】
また、ステップ#４０２の判断の結果、オンになっていれば、ステップ#４０３で、ピントあわせのためのＡＦルーチンを、ステップ#４０４では露出値を決めるＡＥルーチンを実行する。ステップ#４０５では、スイッチ検地を行い、ステップ#４０６で第２のスイッチ（１２０）がオンになっていなければ、ステップ#４０５以降の処理を繰り返し行う。
【００５７】
ステップ#４０６の判断の結果、オンになっていれば、ステップ#４０７で、図１の１０４〜１０８の各素子の動作タイミングを制御することによりCCDから取り込んだ画素データをフレームメモリ１０８に書き込む。ステップ#４０８では、圧縮部１１２を制御することによって、フレームメモリ１０８上の画素データを圧縮し、ＲＡＭメモリ１１３へ書き込む。ステップ#４０９で、呼び出しルーチンへ戻る。
【００５８】
（本発明の他の実施の形態）
本発明は複数の機器から構成されるシステムに適用しても１つの機器からなる装置に適用しても良い。
【００５９】
また、前述した実施の形態の機能を実現するように各種のデバイスを動作させるように、前記各種デバイスと接続された装置あるいはシステム内のコンピュータに対し、前記実施の形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００６０】
また、この場合、前記ソフトウェアのプログラムコード自体が前述した実施の形態の機能を実現することになり、そのプログラムコード自体、およびそのプログラムコードをコンピュータに供給するための手段、例えばかかるプログラムコードを格納した記録媒体は本発明を構成する。かかるプログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００６１】
また、コンピュータが供給されたプログラムコードを実行することにより、前述の実施の形態で説明した機能が実現されるだけでなく、そのプログラムコードがコンピュータにおいて稼働しているＯＳ（オペレーティングシステム）あるいは他のアプリケーションソフト等の共同して前述の実施の形態で示した機能が実現される場合にもかかるプログラムコードは本発明の実施の形態に含まれることは言うまでもない。
【００６２】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施の形態の機能が実現される場合にも本発明に含まれる。
【００６３】
本発明の実施態様の例を以下に列挙する。
〔実施態様１〕被写体を撮像する撮像条件を被写体の状況に応じて設定する撮像条件設定手段と、前記撮像条件設定手段によって設定された撮像条件下においてプレ撮像を実行する第１の撮像制御手段と、前記第１の撮像制御手段によるプレ撮像により得られた複数の画像を表示する画像表示手段と、前記画像表示手段上に表示された複数の画像の中から、好みの画像をユーザが選択するための画像選択手段と、前記画像選択手段を介してユーザに選択された画像を撮像する時に用いられた撮像条件を被写体の状況下に応じて前記撮像条件設定手段に設定し、前記設定した撮像条件下で撮像を行うように制御する第２の撮像制御手段とを有することを特徴とする撮像装置。
【００６４】
〔実施態様２〕被写体像を撮像する撮像手段と、前記撮像手段によって撮像された被写体像を記録する記録手段と、前記記録手段に記録された被写体像を表示する表示手段と、前記撮像手段の撮像条件を被写体の状況に応じて設定する撮像条件設定手段と、前記撮像条件設定手段によって設定された撮像条件下においてプレ撮像を実行する第１の撮像制御手段とを備える撮像装置であって、前記撮像条件設定手段による設定状態に基づいて前記第１の撮像制御手段の制御下で前記被写体を連続的に撮像するとともに、前記撮像条件設定手段の設定状態に従って撮像された複数の被写体像を前記記録手段に記録し、前記記録手段に記録された複数の被写体像を前記表示手段上に表示し、前記表示手段上に表示された複数の被写体象の中から、少なくとも１つの被写体像を選択することによって、前記選択された被写体像を撮像した際に用いた撮像条件を、被写体の状況に応じて前記撮像条件設定手段に設定し、前記撮像条件設定手段に設定された撮像条件下で撮像を行うように制御する第２の撮像制御手段を有することを特徴とする撮像装置。
【００６５】
〔実施態様３〕前記表示手段は、前記複数の被写体像を同時に表示することを特徴とする実施態様１に記載の撮像装置。
【００６６】
〔実施態様４〕前記表示手段は、前記複数の被写体像を順次表示することを特徴とする実施態様１または２に記載の撮像装置。
【００６７】
〔実施態様５〕前記表示手段により表示された複数の撮像済み画像から１つまたは複数の画像を選択し表示を固定して順次表示されないようにする入力手段をさらに具備することを特徴とする実施態様３に記載の撮像装置。
【００６８】
〔実施態様６〕前記１つまたは複数の選択画面の撮像条件下で順次撮像した画像を記録する記録媒体を具備することを特徴とする実施態様１に記載の撮像装置。
【００６９】
〔実施態様７〕前記第１の撮像制御手段及び第２の撮像制御手段は、コンピュータプログラムにより構成されていることを特徴とする実施態様１〜５の何れか１項に記載の撮像装置。
〔実施態様８〕被写体を撮像する撮像条件を被写体の状況に応じて設定する撮像条件設定処理と、前記撮像条件設定処理によって設定された撮像条件下においてプレ撮像を実行する第１の撮像制御処理と、前記第１の撮像制御処理によるプレ撮像により得られた複数の画像を表示する画像表示処理と、前記画像表示処理に表示された複数の画像の中から、好みの画像をユーザが選択するための画像選択処理と、前記画像選択処理を介して選択された画像を撮像する時に用いられた撮像条件を被写体の状況下に応じて前記撮像条件設定処理に設定し、前記設定した撮像条件下で撮像を行うように制御する第２の撮像制御処理とを有することを特徴とする撮像方法。
【００７０】
〔実施態様９〕被写体像を撮像する撮像処理と、前記撮像処理によって撮像された被写体像を記録する記録処理と、前記記録処理に記録された被写体像を表示する表示処理と、前記撮像処理の撮像条件を被写体の状況に応じて設定する撮像条件設定処理と、前記撮像条件設定処理によって設定された撮像条件下においてプレ撮像を実行する第１の撮像制御処理とを行う撮像方法であって、前記撮像条件設定処理による設定状態に基づいて前記第１の撮像制御処理によって前記被写体を連続的に撮像するとともに、前記撮像条件設定処理の設定状態に従って撮像された複数の被写体像を前記記録処理に記録し、前記記録処理に記録された複数の被写体像を前記表示処理上に表示し、前記表示処理上に表示された複数の被写体象の中から、少なくとも１つの被写体像を選択することによって、前記選択された被写体像を撮像した際に用いた撮像条件を、被写体の状況に応じて前記撮像条件設定処理に設定し、前記撮像条件設定処理に設定された撮像条件下で撮像を行うように制御する第２の撮像制御処理を行うことを特徴とする撮像方法。
【００７１】
〔実施態様１０〕前記表示処理は、前記複数の被写体像を同時に表示することを特徴とする実施態様８に記載の撮像方法。
【００７２】
〔実施態様１１〕前記表示処理は、前記複数の被写体像を順次表示することを特徴とする実施態様８または９に記載の撮像方法。
【００７３】
〔実施態様１２〕前記表示処理により表示された複数の撮像済み画像から１つまたは複数の画像を選択し表示を固定して順次表示されないようにする入力処理をさらに具備することを特徴とする実施態様１１に記載の撮像方法。
【００７４】
〔実施態様１３〕前記１つまたは複数の選択画面の撮像条件下で順次撮像した画像を記録する記録媒体を具備することを特徴とする実施態様１１に記載の撮像方法。
【００７５】
〔実施態様１４〕前記第１の撮像制御処理及び第２の撮像制御処理は、コンピュータプログラムにより構成されていることを特徴とする実施態様８〜１３の何れか１項に記載の撮像方法。
【００７６】
〔実施態様１５〕被写体像を撮像する撮像処理と、前記撮像処理によって撮像された被写体像を記録する記録処理と、前記記録処理に記録された被写体像を表示する表示処理と、前記撮像処理の撮像条件を被写体の状況に応じて設定する撮像条件設定処理と、前記撮像条件設定処理によって設定された撮像条件下においてプレ撮像を実行する第１の撮像制御処理とをコンピュータに実行させるプログラムであって、前記撮像条件設定処理による設定状態に基づいて前記第１の撮像制御処理によって前記被写体を連続的に撮像するとともに、前記撮像条件設定処理の設定状態に従って撮像された複数の被写体像を前記記録処理に記録し、前記記録処理に記録された複数の被写体像を前記表示処理上に表示し、前記表示処理上に表示された複数の被写体象の中から、少なくとも１つの被写体像を選択することによって、前記選択された被写体像を撮像した際に用いた撮像条件を、被写体の状況に応じて前記撮像条件設定処理に設定し、前記撮像条件設定処理に設定された撮像条件下で撮像を行うように制御する第２の撮像制御処理をコンピュータに実行させることを特徴とするコンピュータプログラム。
【００７７】
〔実施態様１６〕前記実施態様１５に記載のコンピュータプログラムを記録したことを特徴とするコンピュータ読み取り可能な記録媒体。
【００７８】
【発明の効果】
以上説明したように、本発明によれば、あらかじめ用意された複数の撮像条件の中から、試したい撮像条件を簡単に選択するようにするとともに、前記選択した撮像条件で撮像した複数の画像同士を比較して、前記比較結果に基づいて選択された画像を撮像する時に用いられた撮像条件を被写体の状況下に応じて前記撮像条件設定手段に設定し、前記設定した撮像条件下で撮像を行うようにしたので、本撮像に使用する撮像条件を簡単に決定することができ、前記選択した撮像条件を下で本撮像を行うようにすることが可能となり、撮像条件を設定する手間を大幅に省くことができる。
【図面の簡単な説明】
【図１】本発明の実施の形態を示し、デジタルカメラの構成例を説明する図である。
【図２】デジタルカメラ制御のメインルーチンの手順の一例を説明するフローチャートである。
【図３】プレ撮像時の撮像プログラムを選択するルーチンの一例を説明するフローチャートである。
【図４】プレ撮像時の撮像プログラムを選択する時のＥＶＦのイメージの一例を説明する図である。
【図５】プレ撮像ルーチンの手順の一例を示すフローチャートである。
【図６】プレ撮像時の個々の撮像結果をＥＶＦ表示した結果の一例を示す図である。
【図７】本撮像時の撮像プログラムを選択するルーチンの手順の一例を示すフローチャートである。
【図８】本撮像時の撮像プログラムを選択する際の画面の分割方法を示すイメージの一例を示す図である。
【図９】本撮像時の撮像プログラムを選択する際の画面の遷移を示す第１のイメージを説明する図である。
【図１０】本撮像時の撮像プログラムを選択する際の画面の遷移を示す第２のイメージを説明する図である。
【図１１】本撮像時の撮像プログラムを選択する際の画面の遷移を示す第３のイメージを説明する図である。
【図１２】本撮像時の撮像プログラムを選択した結果を示すイメージを説明する図である。
【図１３】本撮像時の撮像プログラムを選択する際の遷移ロックを示すイメージを説明する図である。
【図１４】遷移ロック時の画面遷移を示すイメージを説明する図である。
【図１５】連続本撮像ルーチンの手順の一例を説明するフローチャートである。
【図１６】第１の撮像ルーチンの手順の一例を説明するフローチャートである。
【図１７】第２の撮像ルーチンの手順の一例を説明するフローチャートである。
【符号の説明】
１００  カメラボディ
１０１  フォーカシングレンズ
１０２  ズーミングレンズ
１０３  絞り
１０４  撮像素子
１０５  CDS/AGC素子
１０６  A/D変換素子
１０７  像信号処理素子
１０８  フレームメモリ
１０９  ＣＰＵ
１１０  不揮発性メモリ
１１１  電源
１１２  圧縮部
１１３  ＲＡＭメモリ
１１４  記録媒体
１１５  画像選択手段
１１６  ＥＶＦ制御部
１１７  ＥＶＦ
１１８  メインスイッチ
１１９  第１のスイッチ
１２０  第２のスイッチ
１２１  撮像条件選択手段
１２２  ビュー画像切り替え手段
１２３  表示固定手段
【図１】
2004207886.tif 000003
【図２】
2004207886.tif 000004
【図３】
2004207886.tif 000005
【図４】
2004207886.tif 000006
【図５】
2004207886.tif 000007
【図６】
2004207886.tif 000008
【図７】
2004207886.tif 000009
【図８】
2004207886.tif 000010
【図９】
2004207886.tif 000011
【図１０】
2004207886.tif 000012
【図１１】
2004207886.tif 000013
【図１２】
2004207886.tif 000014
【図１３】
2004207886.tif 000015
【図１４】
2004207886.tif 000016
【図１５】
2004207886.tif 000017
【図１６】
2004207886.tif 000018
【図１７】
2004207886.tif 000019